(57)【要約】      （修正有）【課題】部品点数を削減することによって、コストを低減し、また、組立性、剛性を高めた電池パックを提供する。【解決手段】外周の形状を四角形とする薄型素電池１と、この外周面に設置される第一外装ケース、第二外装ケース２とを備える電池パックであって、第一外装ケースの前記一端側一辺壁面３１に、保護回路基板４を保持するホルダー部３Ｈを備え、さらに前記第一外装ケースの一端側に嵌合される第二外装ケース2を備える。【選択図】図１
2010073510.tif 000002
【特許請求の範囲】
【請求項１】
外周の形状を四角形とする薄型素電池(1)と、この外周面に設置される第一外装ケース(3)とを備える電池パック(X)であって、前記第一外装ケース(3)は一端側一辺壁面(31)と、前記一端側一辺壁面(31)に対向する他端側一辺壁面(32)と、前記一端側一辺壁面(31)と前記他端側一辺壁面(32)とを連結する一側壁面(33)とからなり、また前記第一外装ケース(3)の前記一端側一辺壁面(31)に、保護回路基板(4)を保持するホルダー部(3H)を有し、さらに前記第一外装ケース(3)の一端側に嵌合される第二外装ケース(2)を備えることを特徴とする電池パック。
【請求項２】
前記第二外装ケース(2)は断面視コの字状であり、前記第二外装ケース(2)の一端側一辺壁面(21)の上部のひさし部に係止凹部(21SH)を備え、前記第一外装ケース(3)は一端側一辺壁面(31)上に位置する係止凸部(31EP)とを備え、前記係止凹部(21SH)と前記係止凸部(31EP)とが嵌合することを特徴とする請求項１に記載の電池パック。
【請求項３】
前記第一外装ケース(3)は前記一側壁面(33)に挿嵌凹部(3CH)を有し、さらに該挿嵌凹部(3CH)に前記一側壁面(33)と反対側に前記他端側一辺壁面(32)に連結して他側壁面(34)を備えると共に、該他側壁面(34)に挿嵌凹部(3CH)を備えており、
前記第二外装ケース(2)は、前記一端側一辺壁面(21)の両端から延出する一側延出壁面(22、22)を備えると共に、該一側延出壁面(22、22)に挿嵌凸部(22E、22E)を備え、
前記挿嵌凹部(3CH)、前記挿嵌凹部(3CH)に、前記挿嵌凸部(22E、22E)が挿嵌されることを特徴とする請求項１に記載の電池パック。
【請求項４】
前記第一外装ケース(3)は、前記一側壁面(33)に前記薄型素電池(1)の凸部(1P)を露出させる窓部(33H)を有しており、前記第二外装ケース(2)は前記一端側一辺壁面(21)に前記保護回路基板(4)の基板端子部(4T)を露出させる窓部(21O)を有していることを特徴とする請求項１に記載の電池パック。
【発明の詳細な説明】
【技術分野】
【０００１】
本発明は、薄型電池の周囲に外装ケースを固定している電池パックに関する。  
【背景技術】
【０００２】
薄型電池の電池パックは、種々の携帯用の電気機器に装着されて便利に使用される。
とくに、携帯電話のように、全体を薄く設計する必要がある電気機器に最適な形状である。昨今、石油、材料費の高騰におけるコスト高の課題に直面している。
そこで、この形状の電池パックは、如何にコストを抑える事ができるかという研究のもと開発された。
【０００３】
下記の特許文献１においては、保護回路基板を保持する基板ホルダーを備え、この基板ホルダーを、外周の形状を四角形とする薄型素電池の外周面に設置した状態で、上面がない箱型の外装ケースに収納している。
【特許文献１】特開２００７−３２３９３７
【発明の開示】
【発明が解決しようとする課題】
【０００４】
上記の特許文献１に開示される従来の電池パックにおいては、基板ホルダーと外装ケースとが、別部品となっている。このため、組立性、コストの面で課題があった。
【０００５】
本発明はこのような欠点を解決することを目的に開発されたものである。本発明の重要な目的は、部品点数を削減し、部品点数削減によりコストを低減し、また、組立性が良好な電池パックを提供することである。
【課題を解決するための手段】
【０００６】
本発明の電池組立体は、外周の形状を四角形とする薄型素電池1と、この外周面に設置される第一外装ケース3とを備える電池パックXであって、前記第一外装ケース3は一端側一辺壁面31と、前記一端側一辺壁面31に対向する他端側一辺壁面32と、前記一端側一辺壁面31と前記他端側一辺壁面32とを連結する一側壁面33とからなり、また前記第一外装ケース3の前記一端側一辺壁面31に、保護回路基板4を保持するホルダー部3Hを有し、さらに前記第一外装ケース3の 一端側より嵌合される第二外装ケース2を備えることを特徴とする。
【０００７】
更に、前記第二外装ケース2は断面視においてコの字状であり、前記第二外装ケース2の一端側一辺壁面21の上部及び下部のひさし部に係止凹部21SHを備え、前記第一外装ケース3は一端側一辺壁面31上に位置する係止凸部31EPとを備え、前記係止凹部21SHと前記係止凸部31EPとが嵌合することを特徴とする。
【０００８】
そして、前記第一外装ケース3は前記一側壁面33に挿嵌凹部3CHを有し、さらに該挿嵌凹部3CHに前記一側壁面33と反対側に前記他端側一辺壁面32に連結して他側壁面34を備えると共に、該他側壁面34に挿嵌凹部3CHを備えており、前記第二外装ケース2は、前記一端側一辺壁面21の両端から延出する一側延出壁面22を備えると共に、該一側延出壁面22に挿嵌凸部22Eを備え、前記挿嵌凹部3CH、前記挿嵌凹部3CHに、前記挿嵌凸部22Eが挿嵌されることを特徴とする。
【０００９】
また、前記第一外装ケース3は、前記一側壁面33に前記薄型素電池1の凸部1Pを露出させる窓部33Hを有しており、前記第二外装ケース2は前記一端側一辺21に前記保護回路基板の基板端子部4Tを露出させる窓部21Oを有していることを特徴とする。
【発明の効果】
【００１０】
本発明の請求項１の電池パックにおいては、第一外装ケースの一端側一辺壁面に、保護回路基板を保持するホルダー部を有している。上述の従来の電池パックの外装ケース部品では、外装ケースと基板ホルダーが個別の部品となっているか又は、複雑な構造となっているため、組立性、強度、コストの面で課題があった。本発明では外装ケースとホルダー部が一体となったため、部品点数の削減によるコスト低減や、組み立ての簡易化による工程数の削減、強度向上も実現する。金型イニシャル費用を削減することができる。
【００１１】
本発明の請求項２の電池パックにおいては、第二外装ケースは断面視においてコの字状としており、上面及び下面への外部からの力に対してより強固且つ安定的な構造である。また、第一外装ケースと第二外装ケースとがひさし部において、係止凹部と係止凸部とが嵌合することによって第一外装ケースと第二外装ケースとの強度を上げ、電池パック全体の剛性を高めている。
【００１２】
本発明の請求項３の電池パックにおいては、第一外装ケースは両側壁面に挿嵌凹部を有し、第二外装ケースは、一端側一辺壁面の両端から延出する両側延出壁面を有し、さらに挿嵌凸部を備えている。該挿嵌凹部に該挿嵌凸部が挿嵌されることによって、第一外装ケースと第二外装ケースとの係合をより強固且安定的なものとしている。  
【００１３】
本発明の請求項４の電池パックにおいては、第一外装ケースは、薄型素電池の凸部を露出させるための窓部を有していることによって、素電池からの電圧供給を行う。この構造により、例えば、リード板を凸部に接続することができる。リード板を十分な広さで確保する事ができ、供給電圧を精確なものとし、最適な回路を設計することができる。また第二外装ケースは一端側一辺壁面に保護回路基板の基板端子部を露出させる窓部を有していることによって、電力供給する機器へ電力を供給することが、安定的且容易に行える効果がある。
【発明を実施するための最良の形態】
【００１４】
以下、本発明の実施例を図面に基づいて説明する。ただし、以下に示す実施例は、本発明の技術思想を具体化するための電池パックを例示するものであって、本発明は電池パックを下記のものに特定しない。さらに、この明細書は特許請求の範囲を理解し易いように、実施例に示される部材に対応する番号を、「特許請求の範囲の欄」、及び「課題を解決するための手段の欄」に示される部材に付記している。ただ、特許請求の範囲に示される部材を、実施例の部材に特定するものでは決してない。
【００１５】
本実施例の電池パックＸは、図１に開示されるように、外周の形状を四角形とする薄型素電池１を備える。これに電気配線及び保護回路基板４を配置し、これらを保持するホルダー部を有する第一外装ケース３を備えた外周の形状を四角形とするコアパックＹ（＝薄型電池体）を備える。この外周面に設置される第二外装ケース２とを備えている。薄型素電池１とコアパックＹは、ほぼ同じ形状を備えており、長方形又は正方形の板状であり、外周の形状を四角形としている。素電池１は、角型のリチウムイオン電池である。
【００１６】
薄型素電池１は、その一側壁面に一方の電池極である凸部１Ｐを備えている。また、素電池１は、上述の凸部１P（本実施例では負極）以外の外装缶を、他方の極（正極）としている。薄型素電池１一側壁面と反対側の他側壁面にクラッド板１Cを接続している。
【００１７】
次に、コアパックＹについて、説明する。第一外装ケース３は一端側一辺壁面３１と、前記一端側一辺壁面３１に対向する他端側一辺壁面３２と、前記一端側一辺壁面３１と前記他端側一辺壁面３２とを連結する一側壁面３３とからなり、また前記第一外装ケース３の前記一端側一辺壁面３１に、保護回路基板４を保持するホルダー部３Hを有している。前記第一外装ケース３は前記一側壁面３３に挿嵌凹部３CHを有し、さらに該挿嵌凹部３CHに前記一側壁面３３と反対側に前記他端側一辺壁面３２に連結して他側壁面３４を備えると共に、該他側壁面３４に挿嵌凹部３CHを備えている。
【００１８】
第一外装ケース３において、一端側一辺壁面３１と隣接する一側壁面３３の途中までをホルダー部３Ｈとし、これに連続して、上面視コの字状のケース部３Ｃとを備えている。ケース部３Ｃは、素電池１の他側壁面の途中まで至っている。
【００１９】
第一外装ケース３の一側壁面３３には、電池１の凸部１Pを通過させるために開口した窓部３３Hを備える。薄型素電池１の４側壁面と第一外装ケース３の４側壁面とが図２が示すように各々の対応する面が係合している。
【００２０】
また、第一外装ケース３のホルダー部３Ｈは、断面視コの字状であり、一端側一辺壁面３１のホルダーひさし部３ＨＧに位置する係止凸部３１EPを備えており、上面ひさし部３ＨＧに２箇所、下面ひさし部３ＨＧに１箇所有している。
【００２１】
そして、ケース部３Ｃにおいては、上面、下面に、ケースひさし部３ＣＧを備えており、ケース部３Ｃの断面は、略コの字形状をしている。
【００２２】
第一外装ケース３のケース部３Cの一側壁面３３に挿嵌凹部３CHを有し、さらに該挿嵌凹部３CHに反対する他側壁面側に同様の挿嵌凹部３CHを備えている。コアパックＹの状態において、該挿嵌凹部３CHはケース３Ｃの内面と、素電池１との側面とで形成された空間である。即ち、挿嵌凹部３CHは図２のように薄型素電池１と第一外装ケース３とが係合することによって、薄型素電池１の両側壁面と第一外装ケース３のケース部３Cとが囲む空間である。
【００２３】
次に、コアパックＹにおいて、電気配線、電気接続について説明する。窓部３３Hを通過している凸部１PにL字型のPTC素子付きリード板５の一端を接続し、第一外装ケース３のホルダー部３Hの一側壁面３３と一側壁面３３に隣接する一端側一辺壁面３１に沿わして配置する。
【００２４】
一端側一辺壁面３１のPTC素子付きリード板５の他端は保護回路基板４裏側の裏面側導電ランド（図示せず）に接続される。このPTC素子付きリード板５は2枚のリード板とPTC素子からなり、両端部はリード板であり、両端部の２枚のリード板によって中央部のPTC素子は挟まれ、溶接されている。PTC素子付きリード板５の幅は、素電池１の厚みよりは小さい。
【００２５】
保護回路基板４の裏面側に配置された種々の電子素子４Ｓ、４Ｓ等は、ホルダー部３Hの二つの隔壁３１Ｗの間に保持、収納される。保護回路基板４は、出力端子部４Oと、テスト端子部４Tを備えている。保護回路基板４の外側面には、３つの出力端子が設けられており、プラス出力、温度出力、マイナス出力の端子となっている。また、保護回路基板４の外側面には、２つのテスト端子部４Tが設けられている。テスト端子部４Tは、コアパックＹができた状態で、素電池１、ＰＴＣ素子が接続されて保護回路基板４が正常に動作するかどうかをテストするのに、利用される。
【００２６】
また、保護回路基板４裏面のもう一方の裏面側導電ランド（図示せず）において、リード板６の一端が接続される。リード板6はL字型をしており、他端は薄型素電池１の他方の極であるクラッド板1Cと接続されている。薄型素電池１に第一外装ケース３とリード板５、６、保護回路基板４とが係合した状態を電池コアYとする。
【００２７】
次に、第二外装ケース２について説明する。第二外装ケース２は、平面視及び断面視略コの字状であり、第一外装ケース３の一端側に係合、嵌合される。第二外装ケース２の一端側一辺壁面２１において、上面及び下面にひさし部２１Ｇを備え、開口である係止凹部２１SHが一端側一辺壁面２１の上面ひさし部２１Ｇに２箇所、下面ひさし部２１Ｇに1箇所有してある。
【００２８】
第二外装ケース２が、第一外装ケース３の一端側に係合、嵌合されたとき、該係止凹部２１SHと第一外装ケース３の一端側一辺壁面３１のひさし部３ＨＧに位置する係止凸部３１EPとが嵌合することによって、第一外装ケース３と第二外装ケース２との係合をより強固且安定的なものとし、保護回路基板４と、リード板6と、PTC素子付きリード板5とを強固に固定している。
【００２９】
第二外装ケース２の一端側一辺壁面２１においては、保護回路基板４の出力端子部４Oと、テスト端子部４Tとを露出させるため出力端子窓部２１０、テスト端子窓部２１０Ｔを備えている。
【００３０】
また、第二外装ケース２は、一端側一辺壁面２１の両端から延出する一側延出壁面２２を２面備えると共に、該両一側延出壁面２２に挿嵌凸部２２Eを備えている。第二外装ケース２が、第一外装ケース３の一端側に係合、嵌合されたとき、第一外装ケース３の両挿嵌凹部３CHに、第二外装ケース２の挿嵌凸部２２Eが挿嵌されることによって、第一外装ケース３と第二外装ケース２との接合強度を増加させ、安定的な接合状態を保っている。
【００３１】
また、テスト端子窓部２１０Ｔを覆って、水没判定ラベル又はテストポイントラベルＬが第二外装ケース２上に貼り付けられている。
【００３２】
図４に示すようにコアパックYに第二外装ケース２が嵌合された電池パックXの一側壁面及び、上面、他側壁面、下面に帯状ラベルRを貼り付ける。帯状ラベルRの他端側は、他端側壁面３２に対して貼り付けを行うため、四角形の突出部ＲＴを有している。この帯状ラベルRの突出部ＲＴは、電池パックXと帯状ラベルRとの接着の強度及び安定性を高めている。
【図面の簡単な説明】
【００３３】
【図１】本発明の一実施例にかかる電池パックの分解斜視図である。
【図２】本発明の素電池と第一外装ケースとが係合した状態を示す図であり、（ａ）は斜視図であり、(ｂ)は、１８０度回転させた状態（裏面）を示す斜視図である。
【図３】本発明のラベルなしの電池パックを示した図であり、（ａ）は斜視図であり、(ｂ)は、１８０度回転させた状態（裏面）を示す斜視図である。
【図４】本発明のラベルを貼り付けた電池パックを示す図であり、（ａ）は斜視図であり、(ｂ)は、１８０度回転させた状態（裏面）を示す斜視図である。
【符号の説明】
【００３４】
Ｘ        …電池パック
Ｙ        …コアパック
１        …薄型素電池
１Ｐ      …凸部
１Ｃ      …極部クラッド板
２        …第二外装ケース
２１      …第二外装ケースの一端側一辺壁面
２１Ｇ    …第二外装ケースの一端側一辺壁面のひさし部
２１ＳＨ  …係止凹部
２１Ｏ    …出力端子窓部
２１ＯＴ  …テスト端子窓部
２２      …延出壁面
２２Ｅ    …挿嵌凸部
２２Ｇ    …延出壁面ひさし部
３        …第一外装ケース                                            
３Ｈ      …ホルダー部
３ＨＧ    …ホルダーひさし部
３Ｃ      …ケース部
３ＣＨ    …挿嵌凹部
３ＣＧ    …ケースひさし部
３１      …一端側一辺壁面
３１Ｗ    …隔壁  
３１ＥＰ  …係止凸部
３２      …他端側一辺壁面
３３      …一側壁面
３３Ｈ    …窓部
３４      …他側壁面
４        …保護回路基板
４Ｏ      …基板端子部
４Ｔ      …テスト端子部
４Ｓ      …電子素子
５        …ＰＴＣ素子付きリード板
６        …リード板
Ｒ        …帯状ラベル
ＲＴ      …突出部
Ｌ        …水没判定ラベル又はテストポイントラベル
【図１】
2010073510.tif 000003
【図２】
2010073510.tif 000004
【図３】
2010073510.tif 000005
【図４】
2010073510.tif 000006